Podtech/llm-jp-corpus-v4-ja_patent huggingface dataset:
(57)【要約】      （修正有）【課題】家具や壁面等を痛めずに貼着物を固定可能な板材、及び当該板材を用いた家具を提供する。【解決手段】板材１は、金属材料２と意匠材３とにより成る。金属材料２の両面に意匠材３を接着して構成する。さらに、意匠材３を金属材料２の片面にのみ接着し、一方面は金属材料２がそのまま現れるようにしても構わない。また、金属材料２と意匠材３の間に芯材４を介在させ、厚みのある板材を形成しても良い。金属材料２としては、強磁性体である鉄材を使用する。意匠材としては、合板や木製単板、紙製板材、ＥＶＡ発泡素材や樹脂素材を用いた樹脂製板材、シート状に形成された基材等、建築材料や壁材、内装材等の意匠材として一般的に利用可能なものであれば、任意の素材を利用可能である。【選択図】図２
0003182900.tif 000002
【実用新案登録請求の範囲】
【請求項１】
磁性体に磁力によって取り付け可能な金属材料と、当該金属材料に接着された意匠材とにより成る板材。
【請求項２】
金属材料が鉄板であることを特徴とする板材。
【請求項３】
請求項１又は２に記載の板材で構成されることを特徴とする家具。
【考案の詳細な説明】
【技術分野】
【０００１】
本考案は板材に関し、より詳しくは磁性体が磁力により固定されることが可能な板材に関する。
【背景技術】
【０００２】
磁石等の磁性体を磁力により取り付け可能な板材として、磁性物吸着シートと該磁性物吸着シートに接着された意匠材とからなる板材が、特許文献１に開示されている。
【先行技術文献】
【特許文献】
【０００３】
【特許文献１】実用新案登録第３１３１４１４号公報
【考案の概要】
【考案が解決しようとする課題】
【０００４】
例えば家具などにカレンダーやポスター・チラシなどを貼り付けたり、オフィスの壁面にメモ等を貼り付ける際には、ピンや接着テープ、接着剤等で固定することが一般的である。
【０００５】
ところが、上記のようにピンで固定すると刺し穴が残り、また、接着テープや接着剤で固定すると跡が残り、貼りつけたものを取り除いた後に、美観を損なうことになってしまう。
【０００６】
そこで本考案は、家具や壁面等を痛めずに貼着物を固定可能な板材、及び当該板材を用いた家具を提供することを目的とする。
【課題を解決するための手段】
【０００７】
上記の目的を達成する本考案の構成は次の通りである。
【０００８】
（１）  請求項１に記載の考案は、磁性体に磁力によって取り付け可能な金属材料と、当該金属材料に接着された意匠材とにより構成される。
【０００９】
（２）請求項２に記載の考案は、請求項１記載の板材において、金属材料を鉄板で構成した。
【００１０】
（３）請求項３に記載の家具は、請求項１又は２に記載の板材で構成した。
【考案の効果】
【００１１】
本考案に係る板材は、磁性体に磁力によって取り付け可能な金属材料を内部に装備するものであることから、意匠材表面に磁石を取付けることが可能なものである。
【００１２】
それゆえ、本考案に係る板材、当該板材を用いた家具においては、磁石を用いて貼着物を表面に固定可能となるのである。かように磁石を用いて貼着物を固定可能であることから、ピン等を用いた場合のように跡が残らず、美観を損なうことを防ぐことが可能となるのである。
【図面の簡単な説明】
【００１３】
【図１】本考案に係る板材の構成図
【図２】同断面図
【考案を実施するための形態】
【００１４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１５】
図１、図２に示すように、本考案に係る板材１は、金属材料２と意匠材３とにより成りる。図２ａに示すように金属材料２の両面に意匠材３を接着して構成し、あるいは図２ｂに示すように、意匠材３を金属材料２の片面にのみ接着し、一方面は金属材料２がそのまま現れるようにしても構わない。更には図２ｃに示すように、金属材料２と意匠材３の間に芯材４を介在させ、厚みのある板材を形成しても構わない。
【００１６】
金属材料としては、鉄板が好ましいが、むろん係る限定を受けるものではなく、磁石やマグナットシートなど磁性体を磁力により取付固定することが可能な素材であれば、任意の素材を利用できる。具体的には、鉄やニッケル、コバルトなどの合金や金属間化合物等を用いた板状体を利用可能である。
【００１７】
意匠材としては、合板や木製単板、紙製板材、ＥＶＡ発泡素材や樹脂素材を用いた樹脂製板材、シート状に形成された基材等、建築材料や壁材、内装材等の意匠材として一般的に利用可能なものであれば、任意の素材を利用可能である。
【００１８】
請求項３記載に係る家具は、上記板材１を表板として用いた家具であり、具体的にはタンスや食器棚、本棚、机、テーブル、椅子、テレビ台、ベッド、飾り棚等の側板等に利用したものである。
【符号の説明】
【００１９】
１・・板材
２・・金属材料
３・・意匠材
４・・芯材
【図１】
0003182900.tif 000003
【図２】
0003182900.tif 000004
【手続補正書】
【提出日】平成25年2月12日(2013.2.12)
【手続補正１】
【補正対象書類名】実用新案登録請求の範囲
【補正対象項目名】全文
【補正方法】変更
【補正の内容】
【実用新案登録請求の範囲】
【請求項１】
磁性体に磁力によって取り付け可能な金属材料と、当該金属材料に接着された意匠材とにより成る板材。
【請求項２】
金属材料が鉄板であることを特徴とする請求項１記載の板材。
【請求項３】
請求項１又は２に記載の板材で構成されることを特徴とする家具。
(57)【要約】      （修正有）【課題】製造コストを抑え、太陽光パネルの外観の美しさをも引き出し、美観を重視したカーポートを提供する。【解決手段】カーポートにおいて、屋根折板類を無くし既製品の太陽光パネル本体を直接屋根材とする、太陽光パネル一体型屋根を採用する。また、美観を重視して、大梁２のハリセイの幅の中に各部材を納める為に排水溝を有する形材を採用する。これにより、太陽光パネル３が屋根材に変わり、風雨・直射日光などを防ぐ機能を備えた太陽光パネル一体式屋根となる。【選択図】図２
0003182898.tif 000002
【実用新案登録請求の範囲】
【請求項１】
屋根材を排除し大梁のハリセイの幅の中で、複数の小梁と複数の形材にて、太陽光パネルを納めた、屋根の機能を有する太陽光パネル一体型屋根である。
【請求項２】
請求項１に記載の太陽光パネル一体型屋根において、屋根上面より漏水した雨水は、漏水経路をへて排水溝を有する形材にて排水する、太陽光架台と排水路を兼ね備えた形材で構成するを特徴とする太陽光パネル一体型屋根。
【考案の詳細な説明】
【技術分野】
【０００１】  本件は、市販の太陽光パネルを利用し、屋根材・パネル架台・太陽光パネルを一体化させ、美観を重視した、太陽光パネル一体型屋根に関する。
【背景技術】
【０００２】  従来は、太陽光発電システムを設置する場所として住宅屋根を想定し提案されている、今後より大量の電機を得る為に、太陽光パネルの設置面積を更に拡張することが求められている。そこで着目されたのが、多くの戸建て住宅及び商業施設が保有するカーポート上部である。
【考案が解決しようとする課題】
【０００３】  屋根に架台を組み太陽光パネルを設置すると、外観上屋根の厚みが大きく見え美観を損なう。
【０００４】  屋根の厚みを薄くするために、太陽光パネルを直接屋根として使用すると、複数の太陽光パネル間の間隙から雨水が漏れる可能性がある。
【０００５】  本件は、上記の課題解決と共に、屋根材を排除する事で製造コストを抑える事ができ、特注品の太陽光パネルを使用することなく、市販の太陽光パネルで屋根を形成した。
【課題を解決する為の手段】
【０００６】  本件は、前記課題を解決する為に以下の様な太陽光パネル一体型屋根にする。
【０００７】本考案はカーポート本体構造を鋼材とし、排水溝を有する形材にて太陽光パネルを受け及び押えて本体構造の鋼材に固定してする。その際大梁の梁成（ハリセイ）の幅内に納める。
【０００８】  この排水溝を有する形材は、太陽光パネルを取り付け、パネルと押え形材との接続部にはシール材を注入する。しかし経年劣化等により、シールが不完全になると漏水の発生が予想され、また太陽光パネル間の間隙からも漏水の発生が予想される。そこで形材内部に排水用の溝を設けており、漏水が発生しても速やかに排水できる構造とする。
【考案の効果】
【０００９】  本件の太陽光パネル一体型屋根は、太陽光パネル自体を屋根材として用い、小梁・形材・太陽光パネルをハリセイの中に納め薄型で美観性を向上させ、間隙等で発生した漏水も速やかに排水し、排水溝を備えた形材を架台としているので製造コストを抑えた太陽光パネル一体型屋根を実現できる。
【図面の簡単な説明】
【００１０】
【図１】本案件の一実施の形態を示す太陽光パネル一体型屋根カーポートの側面図である。
【図２】同案件の太陽光パネル一体型屋根カーポートの斜視図である。
【図３】同案件の屋根伏せ図で太陽光パネルと各部材の配置状態を示す。
【図４】図２のＡ−Ａ断面図
【図５】図４において太陽光パネル３及び太陽光フレーム１２と縦縁８及び関連部材の固定方法を示す。
【図６】太陽光パネル３及び太陽光パネルフレーム１２を示す。
【図７】図２のＢ−Ｂ断面図
【図８】図６において太陽光パネル３及び太陽光フレーム１２と縦縁８及び関連部材の固定方法を示し、漏水予想経路を記載する。
【図９】図２のＣ−Ｃ断面図
【図１０】図９において太陽光パネル３と横縁９及び関連部材の固定方法を示し、漏水予想経路を記載する。
【考案を実施する為の形態】
【００１１】  以下、本件の実施形態の一例を図にしたがって説明する。
【００１２】  図１において、太陽光パネル一体型屋根とすることで、側面からの柱１と大梁２からなる外観からの美観を重視し、太陽光パネル３及び太陽光パネルフレーム１２及び谷樋６及び小梁１３などを、大梁２のハリセイの中に納めた。
【００１３】  図３において、カーポート本体構造材に、横方向は横縁９を複数配置し、縦方向は縦縁８を複数配置し、太陽光パネル３及び太陽光パネルフレーム１２を乗せ固定する。
【００１４】  図４において、先に触れたように大梁２のハリセイの中に小梁１３を一段下げ取付、その上に縦縁８を乗せ太陽光パネル３及び太陽光パネルフレーム１２を押え縁７で固定し、その他の部材も含めハリセイの幅の中で納め薄くする。
【００１５】図８において、縦縁８の上に太陽光パネル３及び太陽光パネルフレーム１２をのせ、押え縁受け１０及び押え縁７で押さえシール１６を充填するが、シール材の経年劣化により漏水が発生した時は、漏水経路を流れ排水溝１８に導かれ末端へ排水する。
【００１６】  図１０において、太陽光パネル３と太陽光パネル３の接点はシール１６を充填するが、シール材の経年劣化により漏水が発生した時は、漏水経路を流れ排水溝１８に導かれ末端へ排水する。
【符号の説明】
【００１８】１．柱
２．大梁
３．太陽光パネル
４．鼻先カバー
５．谷樋カバー
６．谷樋
７．押え縁
８．縦縁
９．横縁
１０．押え縁受け
１１．柱間プレート
１２．太陽光パネルフレーム
１３．小梁
１４．Ｍ−８ボルトナット
１５．ゴムパッキン
１６．シール
１７．増縁
１８．雨樋
１９．タップビス
【図１】
0003182898.tif 000003
【図２】
0003182898.tif 000004
【図３】
0003182898.tif 000005
【図４】
0003182898.tif 000006
【図５】
0003182898.tif 000007
【図６】
0003182898.tif 000008
【図７】
0003182898.tif 000009
【図８】
0003182898.tif 000010
【図９】
0003182898.tif 000011
【図１０】
0003182898.tif 000012
(57)【要約】      （修正有）【課題】素材を軽く柔らかく万が一落下しても安全に、置き場所を選ばず、かつ写真を紫外線より防御しつつ、簡単・安全・華やかに装飾可能な写真フレーム袋を提供する。【解決手段】形状をシンプルな透明の袋にすることで落下による危険性を減らし、貼付用テープにより簡単・安全に貼付を可能とした。表面には紫外線防御効果を施し、写真を紫外線より保護しつつ、更に表面のイラストフレーム印刷により写真を華やかに装飾することを可能とした。組み立て作業は不要で、袋状の本体１に写真を入れ、折り返しライン６より折り返し封を閉じ、封用のテープにより袋の口をとめ、貼付用テープ３で安全・簡単に写真を装飾出来る。【選択図】図１
0003182897.tif 000002
【実用新案登録請求の範囲】
【請求項１】
形状を紫外線防御効果のある透明の袋状とし、袋の表側に写真を華やかに装飾するイラストフレーム印刷を施し、裏側には封用テープと貼付用テープを施したことをその特徴とする写真フレーム袋。
【考案の詳細な説明】
【技術分野】
【０００１】  この考案は、写真を紫外線より防御しつつ、簡単・安全かつ華やかな装飾を可能とした、組み立て不要な写真フレーム袋の形状に関する。
【背景技術】
【０００２】  従来の写真立て、フォトフレームの形状は、置き場所を必要とし
写真の出し入れに手間を要し、壁に装飾する際においても穴を開けるなど手間とリスクを必要とするものが大半を占めている。
更に重さや素材も硬くしっかりした物が殆どで、地震時など落下時の危険性は否めない。
又写真自体を華やかに見せる工夫は額縁の装飾以外に存在せず、写真を保護する表面においては紫外線防御対策がなされていない。
【考案の概要】
【考案が解決しようとする課題】
【０００３】  従来の技術によれば、置き場所を必要とし、紫外線による変色の可能性が考えられる。
形状はシンプルで写真自体を華やかに見せる工夫は存在しない。
そこでこの考案は、素材を軽く柔らかく万が一落下しても安全に、置き場所を選ばず、かつ写真を紫外線より防御しつつ、簡単・安全・華やかに装飾可能な写真フレーム袋を提供することを目的とする。
【課題を解決するための手段】
【０００４】  以上の課題を解決するために、第一考案は、形状を紫外線防御効果のある透明の袋状とし、表側に写真を装飾するイラストフレーム印刷を施すことを特徴とする写真フレーム袋である。
裏側には貼付用テープを施し、軽量かつ、安全、容易な形状とした。
また、オリジナルカスタムを可能とする為、アルファベットシールやペンの関連アイテムもあり。
【考案の効果】
【０００５】  第一考案によれば、表面に施した紫外線防御加工により写真を紫外線から保護し、置き場所を選ばず写真を簡単・安全に装飾することを可能とした。鋲の落下リスクや、従来の写真立てにある落下時の心配をなくし、またシンプルな形状により手入れも容易である。
表面に施したイラストフレーム印刷により、写真をより華やかに装飾することを可能とした。
【図面の簡単な説明】
【０００６】
【図１】この考案の一実施形態を示す平面図である。
【図２】裏面の接着技術を示す平面図である。
【考案を実施するための形態】
【０００７】  この考案の一実施形態を、図１に示す。
写真フレーム袋本体１は紫外線防御加工を施した透明の袋状であり、袋の入口にはのりしろ部分２が存在する。
写真の表面となる本体１の表側には動物や植物などのイラストフレーム印刷４を入れ華やかなふちどりとする。
図２に示す、写真の裏面となる袋の裏側には、袋の四方に貼付用テープ３を五本施してある。
また、のりしろ部分の裏側には袋の封をする為の封テープ５が一本施してあり、のりしろ部分の表側には、封をした後壁に貼付する際の貼付用テープ３が一本施してある。
写真フレーム袋本体１に写真を入れ折り返しライン６より折り返し、封テープ５をとめ、その後貼付用テープ３により壁に貼付するといった非常に簡単な構造。
【０００８】「実施形態の効果」
震災以降、物を飾ることを躊躇しがちであるが、震災を受け尚写真の大切さを実感し、しまいがちな写真を置き場所を選ばず簡単・安全に装飾することを可能にした写真フレーム袋である。
この実施形態によれば、簡単・安全に写真を装飾することが出来、素材が柔らかく軽い為、万が一落下してもお子様、お年寄りなど危険が生じにくい形状となっている。表面に施された紫外線防御加工とイラストフレーム印刷により思い出写真を紫外線より保護しつつ華やかに装飾可能である。
【実施例】
【０００９】
【産業上の利用可能性】
【００１０】企業と共同でオリジナルキャラクターの入った写真フレーム袋を作成することが出来る。
またタレントが一緒に写真に写っているような写真フレーム袋を作成出来る。
これらの共同制作は、安価である為、菓子や飲料・ＣＤ・ＤＶＤなどの販促品として最適であり、装飾目的の商品の為、宣伝効果も高い。企業と共同し貼付用テープの粘着力を調整し、張り替えが可能な物や、あらゆる場所に適した粘着力の商品を開発出来る。
ベビー用品を扱う業者に安全性をうたい推奨出来る。
老人養護施設に安全性をうたい推奨出来る。
仮設住宅に配布し写真を安心して装飾する機会を作ることが出来る。
【符号の説明】
【００１１】１  写真フレーム袋本体
２  袋の入口にあるのりしろ部分
３  壁への貼付用テープ
４  イラストフレーム印刷
５  袋の封テープ
６  折り返しライン
【図１】
0003182897.tif 000003
【図２】
0003182897.tif 000004
(57)【要約】      （修正有）【課題】輪状にして傘の柄に取りつける布製装具に雨滴を拭き取る機能を持たせ、濡れた傘を折りたたんだ際の雨滴の飛散を防止出来る傘用装具を提供する。【解決手段】長さ２５ｃｍ、幅８ｃｍ程度のマイクロファイバータオル１の両端に面ファスナーを縫い付け、任意の直径の輪状とすることができるようにした上、これに５０ｃｍ程度のゴム紐３を縫いつけて傘の柄に結びつけられるようにする。傘の携帯時及び使用時には柄の部分に巻いてアクセサリーとして使用するとともに、傘の使用後には輪状のまま柄からはずして、折りたたんだ傘の先端に通し、柄の方向に向けて傘をくぐらせることにより雨滴を拭き取る。これにより、傘から垂れる雨滴が建物の入口付近の床を濡らすのを防止するとともに、屋内に入る際に雨滴のついた傘をビニール袋等に収納する手間をも不要とする。【選択図】図３
0003182891.tif 000002
【実用新案登録請求の範囲】
【請求項１】
長さ２５ｃｍ、幅８ｃｍ程度の細長いマイクロファイバータオルの両端に面ファスナーを取りつけ、任意の直径の輪状にすることができるようにしたものを、５０ｃｍ程度のゴム紐で傘の柄に結びつけることにより、傘の使用後に傘に付着した雨滴を拭き取るために用いることのできるようにしたことを特徴とする傘用装具
【考案の詳細な説明】
【技術分野】
【０００１】  本考案は、雨傘に取りつけて携帯できるようにした、雨滴拭き取り用のタオルに関するものである。
【背景技術】
【０００２】  雨の日に傘をさしていた歩行者が、店舗等公衆の集まる屋内に入る際、折りたたんだ傘から雨滴が飛散して入口付近や屋内の床を濡らすことがあるので、転倒の危険や床の汚損を防止するため、建物入口に備えた傘用のビニール袋に濡れた傘を収納してから入館していた。
【考案の概要】
【考案が解決しようとする課題】
【０００３】  傘を折りたたんだ際に飛び散った雨滴が建物入口付近の床面を濡らすと、滑って転倒するおそれがあり危険である。また折りたたんだ傘をビニール袋に収納することは煩瑣であり、入口付近での混雑を招くうえ、在館中だけ使用して使い捨てることになるビニール袋は資源の浪費でもある。従って、傘に付属したタオルによって雨滴を簡便に拭き取ることができるようにすることにより、これらの課題を解決しようとするものである。
【課題を解決するための手段】
【０００４】  本考案は、マイクロファイバータオルに面ファスナーを取りつけることにより、折りたたんだ傘を輪状にくるみこむことができるようにし、傘に付着した雨滴を拭き取ることを可能にするとともに、ゴム紐で傘の柄に取りつけて不使用時には柄に巻きつけて携帯することができることにより、問題点を解決している。
【考案の効果】
【０００５】  上述の様に、雨滴を簡便かつ敏速に拭き取ることができるため、建物入口付近の床が濡れていることによる転倒の危険を防止し、しかも傘を収納するためのビニール袋の使用をも不要とすることにより、入口付近での混雑の緩和と資源の節約に役立つ。
【図面の簡単な説明】
【０００６】
【図１】本考案のタオルの構造を示す正面図である。
【図１】本考案のタオルの構造を示す背面図である。
【図２】本考案のタオルに使用後の傘をくぐらせて使用している場面を示す図である。
【実施例】
【０００７】  以下、添付図面に従って実施例を説明する。１は、長さ２５ｃｍ、幅８ｃｍ程度のマイクロファイバータオルである。これの長辺の両端に、対になった面ファスナーのオス２ａ、メス２ｂを縫いつけ、輪を作ることができるようにしてある。タオルの一端に縫いつけられた５０ｃｍ程度のゴム紐３の他方の端を傘の柄に結びつけ、傘を折りたたんで携帯する際および傘の使用中には、タオルは柄の部分に巻いておく。【０００８】  傘の使用後に、傘を折りたたんだうえ、柄の部分に巻いておいたタオルを柄の先から抜き取り、折りたたんだ傘の先端にまわして輪をくぐらせる。そのまま柄の方向へ向けて傘をくぐらせ、雨滴を拭き取る。輪になったタオルは元の柄の位置に戻る。
【符号の説明】
【０００９】１  マイクロファイバータオル
２ａ  面ファスナー（オス）
２ｂ  面ファスナー（メス）
３  ゴム紐
【図１】
0003182891.tif 000003
【図２】
0003182891.tif 000004
【図３】
0003182891.tif 000005
【手続補正書】
【提出日】平成25年2月13日(2013.2.13)
【手続補正４】
【補正対象書類名】明細書
【補正対象項目名】０００６
【補正方法】変更
【補正の内容】
【０００６】
【図１】本考案のタオルの構造を示す正面図である。
【図２】本考案のタオルの構造を示す背面図である。
【図３】本考案のタオルに使用後の傘をくぐらせて使用している場面を示す図である。
(57)【要約】      （修正有）【課題】テーブルを、左右どちら側にも容易に取り付け出来るテーブル付き椅子を提供する。【解決手段】椅子の前脚１の頭部を座面の外側に出し、その部分にテーブルの支柱３をはめ込んで使える椅子であり左右どちらにも、はめ込める事を特徴とし、椅子の前脚の頭部にＵ字形に曲げた中空パイプを、はめ込んで肘掛けとして使える。【選択図】図１
0003182875.tif 000002
【実用新案登録請求の範囲】
【請求項１】
椅子の前脚の頭部を座面の外側に出して、そこにテーブルの支柱をはめ込んで使える椅子であり、左右どちら側にはめ込んでも使用出来る。
【請求項２】
テーブルの支柱をはめ込む代わりに、前脚の両方にＵ字形をした肘掛をはめ込んでも使える請求項１の椅子。
【考案の詳細な説明】
【技術分野】
【０００１】本考案は、テーブル及びメモ台を付けた椅子に関するものである。
【背景技術】
【０００２】従来から学校等で使われてきた、テーブル付き椅子は、椅子の右側にテーブルが付いていて、左利きの人にとっては、使いづらいものでした。
【考案の概要】
【考案が解決しようとする課題】
【０００３】テーブルが右側に付いているので、右利きの人にとっては使い易いが、左利きの人にとっては、使いづらい。そこで、左利きの人も右利きの人も使い易い、ユニバーサルデザインの椅子を提供しようとするものである。
【課題を解決するための手段】
【０００４】本考案は、椅子の前脚を座面より外側に出して、そこにテーブルの支柱をはめ込むものである。
テーブルの支柱は、椅子の左右どちらの脚にも、はめ込む事ができるので、左利きの人は、テーブルを左側にはめ込んで使う事により問題が解決する。
【考案の効果】
【０００５】上記の様に、本考案のテーブル付き椅子は、テーブルを右側にも左側にも簡単に取り付けが出来る事により、右利きの人も、左利きの人も使い易い。
構造が極めて簡単なため、強度的にも、価格的にもメリットがある。
またテーブルの代わりに、図２の様な肘掛けを、取り付けて使う事もできて、一つの椅子で、椅子だけ、テーブル付き（右、左）、肘掛付きの４通りに使える。
【図面の簡単な説明】
【０００６】
【図１】椅子本体の右側にテーブル付けた図である。
【図２】椅子本体に肘掛を、付けた図である。
【考案を実施するための形態】
【０００７】椅子の前脚と、テーブルの支柱は、はめ込む事が出来て、途中で止まり、かつ、スムーズに回転出来るものとする。
テーブルの形状は、左右どちらにも使える様に、左右対称とする。
【符号の説明】
【０００８】  １    椅子の前脚
２    テーブル
３    テーブルの支柱
４    肘掛け
【図１】
0003182875.tif 000003
【図２】
0003182875.tif 000004
【手続補正書】
【提出日】平成25年1月28日(2013.1.28)
【手続補正１】
【補正対象書類名】実用新案登録請求の範囲
【補正対象項目名】請求項１
【補正方法】変更
【補正の内容】
【請求項１】
椅子の前脚の頭部を座面の外側に出し、その部分にテーブルの支柱をはめ込んで使える椅子であり左右どちらにも、はめ込める事を特徴とする椅子。
【手続補正２】
【補正対象書類名】実用新案登録請求の範囲
【補正対象項目名】請求項２
【補正方法】変更
【補正の内容】
【請求項２】
椅子の前脚の頭部にＵ字形に曲げた中空パイプを、はめ込んで肘掛けとして使える事を特徴とする請求項１の椅子。
(57)【要約】      （修正有）【課題】自動車に取り付ける事に依り、コンプレッサーを外す事が可能となり、エアコン使用時においてはパワーが落ちず、燃費の向上を実現するカーエアコンを提供する。【解決手段】エキゾーストマニーホールド２に冷媒が入った細い銅製のパイプ３を巻き付け、パイプの一端を循環器４を介してラジエター５に接続し、パイプの他端をコンデンサー７に接続し、ラジエターとコンデンサーとの間に膨張器６を接続したことを特徴とする。【選択図】図１
0003182872.tif 000002
【実用新案登録請求の範囲】
【請求項１】
自動車のエアコンのコンプレッサーを取り外し、替りに高温のエンジンの熱を利用した、エキゾーストマニホールドに冷媒が入った細い銅製のパイプを巻き付け、冷媒は熱で圧縮される為、熱が発生し、その熱をラジエターで冷やし、さらに膨張器に送り込むと気化熱を奪い冷気が得られ、エンジンに負荷がかからない為、エアコンを使用してもパワーが落ちず又、燃費も向上し、エコにつながる装置である。
【考案の詳細な説明】
【技術分野】
【０００１】  本考案は、コンプレッサーを使用しない為、自動車のエアコンを使用しても加速、定常走行に於いてもパワーを失わず又、燃費も落ちない為、エコにつながる装置を特徴とする。
【背景技術】
【０００２】  自動車のエアコンを使用した場合、エンジンに負担がかかり、加速はもちろん定常走行に於いてもパワーが落ち、燃費も悪く、小型車に於いては登り坂で速度が落ちていた。
【考案が解決しようとする課題】
【０００３】  従来技術では、自動車がエアコンを作動させるとパワーが落ちたり、燃費が悪かったりする為、前述の欠点を解決しようとするものであり、燃費の向上と共にエコにつながる。
【課題を解決するための手段】
【０００４】  本考案は、エキゾーストマニホールドに銅管の細いパイプを巻きつけ、エンジンの熱で、パイプの中の冷媒は圧縮されて熱を発生し、その熱をラジエターで冷してから、膨張器に通すと気化熱を奪い冷媒は、冷える為コンプレッサーは不要となる。
【考案の効果】
【０００５】  上記目的を達成する為に、冷媒の入った細いパイプをエキゾーストマニホールドに巻きエンジンの熱で圧縮され、ラジエターで冷やし膨張器に通すと、冷風が出る為、エアコン使用時パワーが低下する事なく又、低燃費である。
【考案を実施するための最良の形態】
【０００６】  熱を効果的に得る為に、エキゾーストマニホールドは、４００から５００度Ｃ位熱が上がる為、冷媒の入った細いパイプを各々４回以上巻き付けるか、パイプをエキゾーストマニホールドに挟み込むと効果的である。
【実施例】
【０００７】  以上本考案は、自動車のエキゾーストマニホールドに細い冷媒パイプを、全周又は、半分以上挟み込むのが良く、全周に巻付けた所を図１、を用いて説明する。【０００８】  図１は、自動車のエンジン、エキゾーストマニホールド、冷媒パイプ、冷媒の循環器、膨張器、ラジエター及びコンデンサーの接続図を描いたものである。
【図面の簡単な説明】
【０００９】
【符号の説明】
【００１０】１，エンジン２．エキゾーストマニホールド３．本考案の冷媒パイプ４．循環器５．ラジエター６．膨張器７．コンデンサー
【図１】
0003182872.tif 000003
【手続補正書】
【提出日】平成24年11月20日(2012.11.20)
【手続補正１】
【補正対象書類名】実用新案登録請求の範囲
【補正対象項目名】全文
【補正方法】変更
【補正の内容】
【実用新案登録請求の範囲】
【請求項１】
自動車のエアコンのコンプレッサーを取り外し、替りに高温の、エキゾーストマニホールドの熱を利用し、循環器とコンデンサの間に細いパイプで本考案の装置に連結して、その考案のパイプをエキゾーストマニホールドに取り付ける事に依り、冷却効果が得られるコンプレッサー不要のカーエアコン。
【手続補正２】
【補正対象書類名】明細書
【補正対象項目名】０００９
【補正方法】変更
【補正の内容】
【０００９】
【図１】自動車エアコンの全体斜視図
【手続補正４】
【補正対象書類名】明細書
【補正対象項目名】０００１
【補正方法】変更
【補正の内容】
【０００１】  本考案は、コンプレッサーを使用しない為、自動車のエアコンを使用しても加速、定常走行に於いてもパワーを失わず、道路が渋滞しても冷房能力が落ちず又、燃費も落ちない為、エコにつながる装置を特徴とする。
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
エキゾーストマニーホールドに冷媒が入った細い銅製のパイプを巻き付け、前記パイプの一端を循環器を介してラジエターに接続し、前記パイプの他端をコンデンサーに接続し、前記ラジエターと前記コンデンサーとの間に膨張器を接続したことを特徴とするカーエアコン。
(57)【要約】      （修正有）【課題】ゴルフボールを練習用ティーに簡単にセットアップできるドライバー練習用ゴムティーを提供する。【解決手段】円柱形ゴムティーの側面に凹んだ溝状のスロープを設けたドライバー練習用ゴムティーであって、前記凹んだ溝状のスロープは、ドライバーによって前記円柱形ゴムティーの頂上部にボールを押し上げ可能であることを特徴とする。【選択図】図１
0003182877.tif 000002
【実用新案登録請求の範囲】
【請求項１】
イ  従来の円柱形ゴムティーにない凹んだ溝状のスロープを有するゴムティーを作る。
ロ  ゴムティーのスロープの部分からボールはマットからティー上に易しく上がる。
ハ  マットに装着された新型ゴムティーはボールを簡単にセットアップ出来る事となる。
以上の如く凹んだ溝状の部分が付いたドライバー練習用ゴムティー。
【考案の詳細な説明】
【考案の詳細な説明】
この考案は、ゴルフボールを練習用ゴムティーに簡単に乗せることが出来る為の考案である。
構造は内側に凹んだ溝状のスロープを作る事により、ゴルフボールがドライバーヘッドによって、マット上に転がるボールをスロープの下部より溝に沿って押し上げられて容易にティー上部へと乗せる（セットアップ）ことが可能となってくる。
従来のゴムティーは円柱状で、マットにあるゴルフボールをティーに乗せるには、かがんでボールを手に取りティーに乗せるか、ドライバーのヘッドと足のつま先で挟む状態でティーアップするかのどちらかであった。但し、足の使い方は上級者クラスのような手慣れたゴルファーでないと殆どが上手くセット出来ないのが現状である。
その為、殆どのゴルファーは体を折り曲げてマットに転がるボールを拾い上げて、セットすることとなる。何十発と打つ為、いちいちかがんで拾うのは大変な作業となる。
本案はその欠点を除く為に考案されたもので、これを図面によって説明を行う。
【図面の簡単な説明】
【図１】本考案の新型ゴムティー（ａ）と従来の円柱形のゴムティー（ｂ）
【図２】新型ゴムティーにクラブヘッドを使いゴルフボールを乗せる。
【図３】セットアップされた状態
【符号の説明】１・・・・登るスロープ
２・・・・垂直でスロープなし
３・・・・ドライバーヘッド
４・・・・マット
【図１】
0003182877.tif 000003
【図２】
0003182877.tif 000004
【図３】
0003182877.tif 000005
【手続補正書】
【提出日】平成25年1月21日(2013.1.21)
【手続補正１】
【補正対象書類名】実用新案登録請求の範囲
【補正対象項目名】全文
【補正方法】変更
【補正の内容】
【実用新案登録請求の範囲】
【請求項１】
円柱形ゴムティーの側面に凹んだ溝状のスロープを設けたドライバー練習用ゴムティーであって、前記凹んだ溝状のスロープは、ドライバーによって前記円柱形ゴムティーの頂上部にボールを押し上げ可能であることを特徴とするドライバー練習用ゴムティー。
(57)【要約】      （修正有）【課題】収納されている布団台を上げるとき軽い力で持ち上がるような構造の布団干し具を提供する。【解決手段】布団台１と棒状の物を曲げたスライド台２から成り、布団台１下部の補強材４に設けた二つの固定台７、８にバネ３の中とスライド台２に嵌合したガイドの上部の中を通したバネ軸９を固定し、バネ３の一端を前の固定台７に、他端をガイド上部にそれぞれ固定した布団台１をガイドを介してスライド台２の縦の収納部へ摺動させると、ガイドはストッパー１０で止まるが布団台１は下の方へ下がっていきバネ３が最大に圧縮されたところで止まるようにして、布団台１を上げるとき圧縮されたバネ３の反発力により軽い力で上がるようにした布団干し具。【選択図】図３
0003182876.tif 000002
【実用新案登録請求の範囲】
【請求項１】
同出願人の平成２４年１０月１９日の特許願（布団干し具）に於いて使用する目的で、バネ（３）を布団台（１）に取り付け、収納部にストッパー（１０）を設け、収納された布団台（１）を上げるとき圧縮されたバネ（３）の反発力で軽い力で上がるようにした布団干し具の軽量化構造。
【考案の詳細な説明】
【技術分野】
【０００１】本案はバネを利用した軽量化構造に関するものである。
【背景技術】
【０００２】本考案は同出願人による平成２４年１０月１９日の特許願（布団干し具）に使用する目的であって、従来、前記の製品は無く、よって本考案の目的の軽量化の構造は無かった。
【先行技術文献】
【特許文献】
【０００３】
【特許文献１】
【考案の概要】
【考案が解決しようとする課題】
【０００４】同出願人による平成２４年１０月１９日の特許願（布団干し具）に於いて、収納部にある布団台（１）を上げるとき軽くて済むようにする。
【課題を解決するための手段】
【０００５】ガイド（５）を補強材（４）ではなくバネ（３）に取り付けて、布団台（１）を収納部から上げるとき圧縮されたバネ（３）の反発力で軽く上がるようにする。
【考案の効果】
【０００６】収納部にある布団台（１）を軽く上げられる。
【図面の簡単な説明】
【０００７】
【図１】本案の布団干し状態の概略斜視図である。
【図２】本案の布団干し状態の正面図である。（一部省略）
【図３】本案の布団干し状態の側面図である。（一部省略）
【図４】本案の布団台が収納された状態の側面図である。（一部省略）
【考案を実施するための形態】
【０００８】本案は同出願人の平成２４年１０月１９日の特許願（布団干し具）に於いて、スライド台（２）の収納部にある布団台（１）を上げるときバネ（３）を利用して軽い力で済むようにした軽量化構造である。ガイド（５）を布団台（１）の補強材（４）に直接取り付けずに、ガイド（５）の上部に穴をあけバネ取り付け部（６）とする。補強材（４）の先端と適した中間に固定板（７）、（８）を設け、バネ軸（９）をバネ取り付け部（６）の穴とバネ（３）を通し固定板（７）、（８）に取り付ける。バネ（３）の一方を先端の固定板（７）に、他方をバネ取り付け部（６）に固定する。布団台（１）の移動幅は補強材（４）のピン穴（１１）で調節する。布団台（１）を収納するときガイド（５）はストッパー（１０）で止ったまま、布団台（１）は下の方へ下がりバネ（３）が最も圧縮したところで止まる。布団台（１）を上げるときは圧縮したバネ（３）の反発力で軽くて済む。
【符号の説明】
【０００９】１布団台
２スライド台
３バネ
４補強材
５ガイド
６バネ取り付け部
７固定板
８固定板
９バネ軸
１０ストッパー
１１ピン穴
【図１】
0003182876.tif 000003
【図２】
0003182876.tif 000004
【図３】
0003182876.tif 000005
【図４】
0003182876.tif 000006
【手続補正書】
【提出日】平成25年1月29日(2013.1.29)
【手続補正１】
【補正対象書類名】実用新案登録請求の範囲
【補正対象項目名】全文
【補正方法】変更
【補正の内容】
【実用新案登録請求の範囲】
【請求項１】
布団台（１）と棒状の物を曲げたスライド台（２）から成り、布団台（１）下部の補強材（４）に設けた二つの固定台（７）、（８）にバネ（３）の中とスライド台（２）に嵌合したガイド（５）の上部の中を通したバネ軸（９）を固定し、バネ（３）の一端を前の固定台（７）に、他端をガイド（５）上部にそれぞれ固定した布団台（１）をガイド（５）を介してスライド台（２）の縦の収納部へ摺動させると、ガイド（５）はストッパー（１０）で止まるが布団台（１）は下の方へ下がっていきバネ（３）が最大に圧縮されたところで止まるようにして、布団台（１）を上げるとき圧縮されたバネ（３）の反発力により軽い力で上がるようにした布団干し具の軽量化構造。
(57)【要約】      （修正有）【課題】全ての角コーナーの掃除を可能としたコーナーデッキブラシを提供する。【解決手段】円形のブラシ台に植毛し、毛先を角形状に刈り込んだことを特徴とする。ブラシ台に柄を付ける事によりデッキブラシとして使用できる。【選択図】図１
0003182870.tif 000002
【実用新案登録請求の範囲】
【請求項１】
三角コーナーを完全に掃除出来るコーナーデッキブラシです。
【請求項２】
コーナーから平面までブラッシング出来るコーナーデッキブラシです。
【考案の詳細な説明】
【技術分野】
【０００１】半円形のブラシ台に丸線植毛し毛先を正三角形に刈り込む。
【背景技術】
【０００２】従来タワシ直角刈り込みをした製品はなかった。
【考案の概要】
【考案が解決しようとする課題】
【０００３】今までのタワシはコーナーを掃除できなかった。
デッキブラシ直角に刈り込みしたブラシはなかった。
【課題を解決するための手段】
【０００４】１  楕円形のブラシ台に植毛する。
２  楕円形のブラシ台に２つの毛材の違う毛を植毛する。
３  毛先の刈り込みを正三角に刈り込みする。
４  毛材を０，２５と０，３の太さで植毛する。
５  このブラシ台にトッテを付けてデッキブラシとする。
６  直角の所を掃除する時別なブラシを変えて掃除していた。
７  今までコーナーを掃除する事が困難だった。
【考案の効果】
【０００５】１  全ての角コーナーの掃除をこなすタワシです。
２  デッキブラシとして腰を曲げずに掃除ができる。
【図面の簡単な説明】
【０００６】
【図１】タワシの中心の切断面図です。
【図２】タワシの円錐形の断面図です。
【図３】タワシの裏側の図です  真中に丸棒をつける。
【図１】
0003182870.tif 000003
【図２】
0003182870.tif 000004
【図３】
0003182870.tif 000005
【手続補正書】
【提出日】平成24年11月21日(2012.11.21)
【手続補正１】
【補正対象書類名】実用新案登録請求の範囲
【補正対象項目名】全文
【補正方法】変更
【補正の内容】
【実用新案登録請求の範囲】
【請求項１】
三角コーナーを完全に掃除出来る事を特徴とするコーナーデッキブラシ。
コーナーから平面まで完全にブラッシング出来るコーナーデッキブラシ。
握りトッテを外しても使えるコーナーデッキブラシ。
【手続補正書】
【提出日】平成25年1月29日(2013.1.29)
【手続補正１】
【補正対象書類名】実用新案登録請求の範囲
【補正対象項目名】全文
【補正方法】変更
【補正の内容】
【実用新案登録請求の範囲】
【請求項１】
円形のブラシ台に植毛し、毛先を角形状に刈り込んだことを特徴とするコーナーデッキブラシ。
(57)【要約】      （修正有）【課題】ワタリガニと辛み調味料と野菜類とから作成した発酵食品を封入した密閉容器を提供する。【解決手段】（１）野菜類をミキサーにかける、（２）食品（ワタリガニ）を圧縮させ汁をとる、（３）野菜類とワタリガニの汁を調味料類と混合する、（４）、（１）、（２）、（３）を適正温度（３０℃〜３５℃）で発酵させ、もう一度米粉を加えて発酵させ、密閉容器（ペットボトル）に封入して完成させる。【選択図】図１
0003182869.tif 000002
【実用新案登録請求の範囲】
【請求項１】
（１）現在の食事の中にあるいろいろな辛さにないような特異な辛さ
（２）この、味噌だれを入れることによって、今までに味わったことのない新鮮な味を体験できる
【請求項２】
（１）新しい食事文化を作りたい
【考案の詳細な説明】
【技術分野】    食品分野
【考案の概要】
【考案が解決しようとする課題】  国民の食生活の習慣の中にあるひとつの味にキーポイントをつけること
【課題を解決するための手段】  新世代の新鮮な辛さぼブームを起こしたい
【考案の効果】  食事文化を活性化させ経済を伸ばす
【図面の簡単な説明】
【図１】  考案を作るための材料を示している
【図２】  考案の作り方を示している
【実施例】  特に今までにない新しい焼肉の辛いだれになる
ご飯にかけて食べられる。その他にも、石焼ビビンバ、スープや鍋など様々なものに入れることによって味を深めることができる
【図１】
0003182869.tif 000003
【図２】
0003182869.tif 000004
【手続補正書】
【提出日】平成24年10月31日(2012.10.31)
【手続補正１】
【補正対象書類名】実用新案登録請求の範囲
【補正対象項目名】請求項１
【補正方法】変更
【補正の内容】
【請求項１】
（イ）（１）ワタリガニの辛い味噌だれが入ったボトルビン
（２）食用ワタリガニを使用していろんな野菜と調味料を混ぜて発酵させ作った５００ｍｌ．のボトルビン
（ロ）「請求項１」
【手続補正２】
【補正対象書類名】実用新案登録請求の範囲
【補正対象項目名】請求項２
【補正方法】変更
【補正の内容】
【請求項２】
（イ）ワタリガニを使った新しい発酵商品の５００ｍｌ．のボトルビンを多くの人に届けたい
（ロ）「請求項２」
【手続補正３】
【補正対象書類名】図面
【補正対象項目名】図１
【補正方法】変更
【補正の内容】
【図１】
0003182869.tif 000005
【手続補正４】
【補正対象書類名】図面
【補正対象項目名】図２
【補正方法】削除
【補正の内容】
【手続補正書】
【提出日】平成25年1月11日(2013.1.11)
【手続補正１】
【補正対象書類名】実用新案登録請求の範囲
【補正対象項目名】全文
【補正方法】変更
【補正の内容】
【実用新案登録請求の範囲】
【請求項１】
ワタリガニと辛み調味料と野菜類とから作成した発酵食品を封入した密閉容器
【手続補正２】
【補正対象書類名】明細書
【補正対象項目名】全文
【補正方法】変更
【補正の内容】
【考案の詳細な説明】
【技術分野】食品であるワタリガニを圧縮させ調味料類と野菜類を混合して適正な温度（３０℃〜３５℃）で丁寧に７２時間発酵させ、もう一度米粉を加えて２４時間発酵させ完成したワタリガニの辛い味噌だれを密閉容器に封入した発酵商品。
【考案の概要】
【考案が解決しようとする課題】国民の食生活の習慣の中にあるひとつの味にキーポイントをつけること
【課題を解決するための手段】新世代の新鮮な辛さぼブームを起こしたい
【考案の効果】食事文化を活性化させ経済を伸ばす
【図面の簡単な説明】
【図１】▲１▼  野菜類をミキサーにかける  ▲２▼  食品（ワタリガニ）を圧縮させ汁をとる  ▲３▼  野菜類とワタリガニの汁を調味料類と混合する  ▲４▼  ▲１▼▲２▼▲３▼を適正温度（３０℃〜３５℃）で発酵させ、もう一度米粉を加えて発酵させ、密閉容器（ペットボトル）に封入して完成
【実施例】  特に今までにない新しい焼肉の辛いだれになる
ご飯にかけて食べられる。その他にも、石焼ビビンバ、スープや鍋など様々なものに入れることによって味を深めることができる
【手続補正３】
【補正対象書類名】図面
【補正対象項目名】全図
【補正方法】変更
【補正の内容】
【図１】
0003182869.tif 000006
(57)【要約】      （修正有）【課題】引っ張り操作だけでインクジェットカートリッジをプリンターの中から取り出すことができ、操作が簡単で、便利で、速やかであり、構造が簡単で、生産の難しさとコストが低い引張式フィルム付きインクジェットカートリッジを提供する。【解決手段】引張式フィルム付きインクジェットカートリッジは、インクジェットカートリッジ本体１を含み、また、ユーザーが手で掴んで引っ張ることによって、インクジェットカートリッジをプリンターの中から取り出すことに用いる引張式フィルム２を含む。また、前記引張式フィルムの一端はホットロールによって前記インクジェットカートリッジ本体の正面に溶接され、他の一端はぶら下げ状態となる。【選択図】図３
0003182823.tif 000002
【実用新案登録請求の範囲】
【請求項１】
インクジェットカートリッジ本体（１）を含む引張式フィルム付きインクジェットカートリッジであって、
ユーザーより手で掴んで引っ張ることによって、インクジェットカートリッジをプリンターの中から取り出すことに備える引張式フィルム（２）を含み、前記引張式フィルム（２）はインクジェットカートリッジ本体（１）上に固定されている、
ことを特徴とする引張式フィルム付きインクジェットカートリッジ。
【請求項２】
前記引っ張り式フィルム（２）の一端はホットロールによって前記インクジェットカートリッジ本体（１）の正面に溶接され、他端はぶら下げ状態となっている、
ことを特徴とする請求項１に記載の引張式フィルム付きインクジェットカートリッジ。
【請求項３】
前記引っ張り式フィルム（２）はＰＴ材料で作られている、
ことを特徴とする請求項１又は２に記載の引張式フィルム付きインクジェットカートリッジ。
【考案の詳細な説明】
【技術分野】
【０００１】
本考案はプリンターのインクジェットカートリッジ技術分野に関わるもので、特に引張式フィルム付きインクジェットカートリッジに関わるものである。
【背景技術】
【０００２】
現在、市販の一般インクジェットカートリッジにはいずれもインクジェットカートリッジ本体１'上に一体に射出成形されたインクジェットカートリッジ・バックル２'（図１と図２を参照）が設置されるが、当該インクジェットカートリッジ・バックル２'は主にプリンターのＣＲフレームカバーとのバックル接続に使われ、すでに使い切ったインクジェットカートリッジをプリンターから取り出す用途に使われる。しかし、このような構造の射出成形金型は相対的に煩雑で、生産が難しくなり、金型のサイズも大きくなり、生産コストも相対的に高くなる。
【考案の概要】
【考案が解決しようとする課題】
【０００３】
従来技術に存在する上記課題を解決するために、本考案では引っ張り操作だけでインクジェットカートリッジをプリンターの中から取り出すことができる、操作が簡単で、便利で、速やかであり、構造が簡単で、生産の難しさとコストが低い引張式フィルム付きインクジェットカートリッジを提供する。
【課題を解決するための手段】
【０００４】
インクジェットカートリッジ本体を含み、また、ユーザーより手で掴んで引っ張ることによって、インクジェットカートリッジをプリンターの中から取り出すことに備える引張式フィルムを含み、前記引張式フィルムはインクジェットカートリッジ本体上に固定される。
【０００５】
さらに、前記引っ張り式フィルムの一端はホットロールによって前記インクジェットカートリッジ本体の正面に溶接され、他の一端はぶら下げ状態となる。
【０００６】
さらに、前記引張式フィルムはＰＴ材料で作られる。
【考案の効果】
【０００７】
本考案によれば、ユーザーは手で前記引張式フィルムを引張るだけで、インクジェットカートリッジをプリンターの中から取り出すことができるので、操作が非常に簡単で、便利で、速やかになり、伝統的なインクジェットカートリッジに比べて、構造がさらに簡単になり、生産用の金型もさらに簡単で、コンパクトになり、加工生産の難しさと生産コストを大幅に低減し、市場への押し広めと普及がさらに有利になる。
【図面の簡単な説明】
【０００８】
【図１】図１は既存一般インクジェットカートリッジの側面構造を示す図である。
【図２】図２は図１に記載の既存一般インクジェットカートリッジの上面図である。
【図３】図３は本考案に記載の引張式フィルム付きインクジェットカートリッジ実施例の側面構造を示す図である。
【図４】図４は図３に記載の引張式フィルム付きインクジェットカートリッジ実施例の上面図である。
【考案を実施するための形態】
【０００９】
本考案の目的や、技術手段および長所などをさらにはっきりと説明するために、次では図面および実施例に合わせて、本考案に対してさらに詳しく説明するものとする。理解しておきたいことは、ここで説明している具体的な実施例は、本考案を解釈するためのもので、本考案を限定するものではない。
【００１０】
図３と図４を参照する。
本考案に係わる引張式フィルム付きインクジェットカートリッジは、インクジェットカートリッジ本体１と引張式フィルム２を含み、前記引張式フィルム２はＰＴ材料で作られ、その一端はホットロールによってインクジェットカートリッジ本体１正面（前端）の中間位置に溶接（勿論、正面の両側に溶接しても良い）され、他の一端はぶら下げ状態となり、ユーザーが手で掴むことができる。インクジェットカートリッジが使い切り状態になると、ユーザーは前記引張式フィルム２を手で掴んで引っ張るだけで、プリンターからインクジェットカートリッジを取り出すことができ、操作は非常に簡単で、便利で、速やかになり、伝統的なインクジェットカートリッジに比べて、構造がさらに簡単になり、生産用の金型もさらに簡単で、コンパクトになり、加工生産の難しさと生産コストを大幅に低減し、市場への押し広めと普及がさらに有利になる。
【００１１】
上記内容は好ましい実施形態において本考案に対して詳しく説明したもので、本考案はこれらの説明に限定するものではない。本考案の技術分野に所属する一般技術者なら、本考案の構想を離れない前提で、若干の簡単な推理と取り替えを行うことができるが、これらはいずれも本考案の保護範囲に属すると見なす。
【符号の説明】
【００１２】
1 インクジェットカートリッジ本体
2 引張式フィルム
【図１】
0003182823.tif 000003
【図２】
0003182823.tif 000004
【図３】
0003182823.tif 000005
【図４】
0003182823.tif 000006
(57)【要約】      （修正有）【課題】トイレ清掃時間の短縮と、スプレー容器の廃棄物削減ができる、トイレ便器清掃ブラシを提供する。【解決手段】トイレ便器清掃ブラシ本体の柄の部分と洗剤の詰め替えボトルキャップ部分２とを合成樹脂による一体形成構造にし、洗剤を散布しながら便器清掃ができるようにした。詰め替え用ボトルに洗浄洗剤を詰め替えて使用する事で洗剤スプレー容器を常備する必要がなくなる。【選択図】図２
0003182884.tif 000002
【実用新案登録請求の範囲】
【請求項１】
図面符号２  ボトルキャップ部分と  図面符号１  トイレブラシ本体部分との合成樹脂による一体成型構造。
【請求項２】
図面符号３（ａ）、（ｂ）合成樹脂ボトルによる洗剤の詰め替え方式。
【請求項３】
塩化ビニールチューブによる先端ブラシスポンジ内部への洗剤注入。
【考案の詳細な説明】
【技術分野】
【０００１】  本考案は既存のトイレ便器清掃ブラシに関し、洗浄洗剤の消耗頻度に対して洗剤の節約とトイレ便器清掃時間の短縮化、しいては使用済み洗浄洗剤スプレー容器の廃棄物削減に資するトイレ便器清掃ブラシの構造に係わる。
【背景技術】
【０００２】  従来のトイレ便器清掃ブラシには、ブラシ本体と洗浄液散布スプレーポンプが一体構造となった便器清掃ブラシが無かった。
【考案の概要】
【考案が解決しようとする課題】
【０００３】  現状では、トイレの便器清掃は洗浄洗剤スプレーで便器に洗浄洗剤を散布してからブラシで擦っている。洗剤スプレー容器はリサイクル頻度が乏しく、そのため廃棄物としても多くなっている。洗剤スプレー容器も廃棄物として処分してしまっている。
【課題を解決するための手段】
【０００４】  トイレ清掃ブラシの柄の部分にスプレーポンプ部分と詰め替え用ボトルキャップ部分を合成樹脂による一体構造とし、塩化ビニールチューブでブラシスポンジの先端内部に導き、直接洗浄液を出せるようにする。また、詰め替え用ボトル式にすることで市販の洗浄液スプレー容器は購入の必要としない。
【考案の効果】
【０００５】  ブラシ本体と洗浄液スプレー容器が一体構造になることで、洗剤が、ブラシ先端スポンジ部分に直接出てくることにより、トイレ清掃時間の短縮にもなる。また、洗剤ボトル部分への洗浄液の詰め替えにより、スプレーポンプ容器の廃棄物を削減できる。
【図面の簡単な説明】
【０００６】
【図１】  （ａ）、（ｂ）はそれぞれ、スプレーポンプを一体構造としたトイレ便器清掃ブラシの正面、背面図である。
【図２】  本考案、トイレ便器清掃ブラシの側面図である。
【考案を実施するための形態】
【０００７】  この考案を実施するにはトイレ便器清掃ブラシ本体（図１）１の柄の部分とポンプ式加圧スプレー部分及び、ボトルキャップ部分とが製造時に合成樹脂による一体形成構造となっている必要がある。
【０００８】  塩化ビニールチューブの先端部分（図２−９）が、ブラシスポンジ部分の内部に内蔵されている必要がある。
【０００９】  詰め替えのために、ボトルキャップ部分と合成樹脂ボトルが別体である必要がある。
【符号の説明】
【００１０】１  トイレ便器清掃ブラシ本体
２  詰め替えボトルキャップ部分
３  （ａ）詰め替え用合成樹脂洗剤ボトル（装着時）
３  （ｂ）詰め替え用合成樹脂洗剤ボトル（詰め替え時）
４  ポンプ式スプレー加圧部分
５  先端スポンジブラシ部分
６  スプレーノズル稼動用貫通部分
７  （ａ）洗浄洗剤チューブ（可視図）
７  （ｂ）洗浄洗剤チューブ（透視図）
８  塩化ビニールチューブ固定ガイド部分
９  塩化ビニールチューブ散布ノズル先端部分（透視図）
【図１】
0003182884.tif 000003
【図２】
0003182884.tif 000004
【手続補正書】
【提出日】平成25年1月24日(2013.1.24)
【手続補正１】
【補正対象書類名】実用新案登録請求の範囲
【補正対象項目名】全文
【補正方法】変更
【補正の内容】
【実用新案登録請求の範囲】
【請求項１】
詰め替えボトルキャップ部分（２）とトイレ便器清掃ブラシ本体（１）の柄の部分とを合成樹脂によって一体成型したことを特徴とする洗剤散布スプレーポンプ一体型トイレ便器清掃ブラシ。